(57)【特許請求の範囲】
【請求項１】
断熱筐体として形成された自動販売機本体の庫内の商品収納室に設置された庫内熱交換器と自動販売機本体の機械室に設置された庫外熱交換器および圧縮機により冷凍サイクルを構成してなる自動販売機であって、前記庫外熱交換器および圧縮機を自動販売機本体の基台上に鋼板製の取付台を介して配設してなる自動販売機において、前記庫外熱交換器は、左右方向の一側に配設される入口ヘッダと出口ヘッダに接続されるとともに蛇行した冷媒流路を形成する扁平状のチューブと、この扁平状のチューブの水平延在部に接着されるとともに扁平状のチューブの水平延在部から前後方向に突出する幅を有するコルゲート状のフィンとがアルミニウム製になるアルミニウム製庫外熱交換器とし、当該アルミニウム製庫外熱交換器の下部側両サイドにおける扁平状のチューブの水平延在部から前後方向に突出する扁平状のフィンを囲う態様の底壁，外側壁，前壁，後壁とからなる収納部を有し、かつ、前記取付台に係止固定される合成樹脂製の左右一対の保持部材、および前記アルミニウム製庫外熱交換器を覆う態様で前記取付台に係止固定される鋼板製の風洞を備え、前記左右一対の保持部材はそれぞれの収納部にアルミニウム製庫外熱交換器の下部側両サイドにおける扁平状のチューブの水平延在部から前後方向に突出する扁平状のフィンを格納して保持した状態で底壁によりアルミニウム製庫外熱交換器と取付台との間に隙間を形成するとともに前壁，後壁，外側壁によりアルミニウム製庫外熱交換器の前後左右方向への移動を規制し、前記風洞は天板の背面にクッションを添着してアルミニウム製庫外熱交換器との接触を防止することを特徴とする自動販売機。
【発明の詳細な説明】
【技術分野】
【０００１】
この発明は、缶入り飲料などの商品を加熱（ホット），冷却（コールド）状態に保存して販売する自動販売機であって、断熱筐体として形成された自動販売機本体の庫内に設置された庫内熱交換器と庫外に設置された凝縮器（庫外熱交換器）および圧縮機により冷凍サイクルを構成してなる自動販売機に関する。
【背景技術】
【０００２】
例えば、缶入り飲料，ペットボトル入り飲料などの商品を販売する清涼飲料自動販売機は、断熱筐体としてなる自動販売機本体の商品収納庫内に前記商品をコールド，ホット状態に区分して保存するとともに外扉のディスプレイ室内に複数の商品見本を左右に並べて展示し、前記商品見本に対応して設けられた商品選択ボタンの操作に基いて選択された商品を販売するように構成されている。この種の自動販売機について図７を用いて説明する。
【０００３】
この自動販売機は、図７に示すように、前面が開口した自動販売機本体１と、自動販売機本体１の前面における一方の側壁にヒンジにより開閉可能に支持された片開き式の外扉２とを備え、前記自動販売機本体１は鋼板製の外箱の内側、すなわち、上壁，左右側壁，背壁および底壁１ａにウレタンフォームからなる断熱ボードを配設して断熱筐体として構成されている。前記自動販売機本体１の断熱ボードで囲まれた商品収納庫内は断熱仕切板１ｂにより左右方向に複数の商品収納室３，４，５に区画されている。前記各商品収納室３，４，５には、この例ではサーペンタイン方式と呼ばれる蛇行した商品収納通路を有し、下端に商品搬出装置を有する商品収納ラックＲがそれぞれ収容設置されるとともに、前記商品収納ラックＲの下部には商品搬出装置により切り出された商品が滑動ないしは転動する前傾姿勢の商品搬出シュート６が配設され、当該商品搬出シュート６の下部であって各商品収納室の下端には、当該各商品収納室を冷却もしくは加熱して商品収納ラックＲに収納した商品をコールド・ホット状態に保存する冷却／加熱ユニットが配設されている。前記自動販売機本体１の前面には内扉７が配設され、この例では内扉７が上下の上内扉７ａと下内扉７ｂに分割されている。下内扉７ｂには各商品収納室３，４，５の商品収納ラックＲから払い出された商品を送出する商品搬出シュータ６と対峙する位置に搬出扉７ｂ１を有する商品搬出口が設けられている。前記搬出扉７ｂ１は上端入口を軸支されて垂下するとともに自重により商品搬出口を閉塞して冷気若しくは暖気の流出を防止しており、商品搬出シュート６を介して搬出される商品により押し開かれ、当該商品を外扉２の商品取出口８に送出するように形成されている。
【０００４】
前記自動販売機本体１の底壁１ａの下部は機械室９として形成され、この機械室９には前記商品収納室３，４，５に設置された冷却／加熱ユニットの冷却ユニットと冷凍サイクルを構成する冷凍機のコンデンシングユニットが配設されている。前記冷却ユニットのみが配設された商品収納室はコールド専用室、冷却／加熱ユニットが配設された商品収納室はホット／コールド兼用室とされ、図７に示す例では商品収納室３，４がホット／コールド兼用室、商品収納室５がコールド専用室とされている。各商品収納室３，４，５には商品冷却用の蒸発器として機能する庫内熱交換器，庫内ファンが冷却ユニットとして設置されており、前記庫内熱交換器は機械室に配設された圧縮機，凝縮器（庫外熱交換器），庫外ファンなどからなる冷凍機のコンデンシングユニットに接続されている。ホット／コールド兼用室である商品収納室３，４には前記熱交換器に加えて商品加熱用のヒータが加熱ユニットとして設置されている。なお、前記ヒータに代えて各商品収納室３，４に設置された庫内熱交換器を加熱ユニットして利用するものも知られている。この場合、前記庫内熱交換器には冷凍機のコンデンシングユニットの冷凍サイクルを構成する回路に加えて、圧縮機からの高温冷媒ガスを前記庫内熱交換器を経由して冷凍機のコンデンシングユニットの凝縮器（庫外熱交換器）に流す冷媒切換回路を設け、ホット運転モードでは冷媒切換回路により各商品収納室３，４の庫内熱交換器を凝縮器として機能させるように構成されている。
【０００５】
ここで、自動販売機本体１の機械室９に配設される冷凍機のコンデンシングユニットは、当該機械室９の底部をなす基台の上に設けられた鋼板製の取付台に固定して取付けるように構成されている（例えば、特許文献１）。この場合、従来の凝縮器（庫外熱交換器）は、フィンアンドチューブ熱交換器が採用されている。このフィンアンドチューブ熱交換器は、冷媒流路を形成するチューブが直線状の円形パイプとＵベンドからなり、左右の矩形状端板に直線状の円形パイプを上下方向に並設して固着したうえで隣接する円形パイプの左右端部にＵベンドを固着ことにより全体として蛇行した冷媒通路を形成するように構成されている。このように、従来の凝縮器（庫外熱交換器）は左右の端板を有することから、この左右の端板を利用して取付台に設置されている。
【先行技術文献】
【特許文献】
【０００６】
【特許文献１】特許第３２０６６８１号公報
【発明の概要】
【発明が解決しようとする課題】
【０００７】
従来のフィンアンドチューブ熱交換器のチューブが銅製からなる一方、端板が鋼板製になることから、異種金属同士の接触により電界腐食を生じるが、銅と鋼鉄のイオン化傾向の電気化学的ポテンシャルは銅のほうが鋼鉄よりもプラス側にあるために銅製のチューブが電解腐食することはなく、鋼板製の端板の電界腐食も凝縮器（庫外熱交換器）の仕様（耐用年数）を阻害するものではない。
【０００８】
ところで、軽量化および熱交換効率の向上のために凝縮器（庫外熱交換器）のチューブ，フィンをアルミニウム製としたアルミニウム製凝縮器（アルミニウム製庫外熱交換器）を採用した場合、従来と同様に鋼板製の端板により取付台に取付けると、異種金属同士の接触によりアルミニウム製のチューブが電解腐食により溶解して冷媒の漏洩を惹起してしまう。これは、アルミニウムと鋼鉄のイオン化傾向の電気化学的ポテンシャルはアルミニウムのほうが鋼鉄よりもマイナス側のため、アルミニウム側に電解腐食が生じるからである。したがって、アルミウム製凝縮器を採用した場合には鋼板製の端板を使用することができない、つまり、端板を利用して取付台に取付けることができず、また、取付台も鋼板製になることからアルミウム製凝縮器を取付台に接触することなく設置する必要があるという課題を有する。
【０００９】
本発明は上記の点に鑑みなされたものであり、その目的は前記課題を解決し、庫外熱交換器としてアルミニウム製庫外熱交換器を採用した場合にも簡単な構成により鋼板製の取付台に設置することが可能な自動販売機を提供することにある。
【課題を解決するための手段】
【００１０】
上記目的を達成するために請求項１にかかる発明は、断熱筐体として形成された自動販売機本体の庫内の商品収納室に設置された庫内熱交換器と自動販売機本体の機械室に設置された庫外熱交換器および圧縮機により冷凍サイクルを構成してなる自動販売機であって、前記庫外熱交換器および圧縮機を自動販売機本体の基台上に鋼板製の取付台を介して配設してなる自動販売機において、前記庫外熱交換器は、左右方向の一側に配設される入口ヘッダと出口ヘッダに接続されるとともに蛇行した冷媒流路を形成する扁平状のチューブと、この扁平状のチューブの水平延在部に接着されるとともに扁平状のチューブの水平延在部から前後方向に突出する幅を有するコルゲート状のフィンとがアルミニウム製になるアルミニウム製庫外熱交換器とし、当該アルミニウム製庫外熱交換器の下部側両サイドにおける扁平状のチューブの水平延在部から前後方向に突出する扁平状のフィンを囲う態様の底壁，外側壁，前壁，後壁とからなる収納部を有し、かつ、前記取付台に係止固定される合成樹脂製の左右一対の保持部材、および前記アルミニウム製庫外熱交換器を覆う態様で前記取付台に係止固定される鋼板製の風洞を備え、前記左右一対の保持部材はそれぞれの収納部にアルミニウム製庫外熱交換器の下部側両サイドにおける扁平状のチューブの水平延在部から前後方向に突出する扁平状のフィンを格納して保持した状態で底壁によりアルミニウム製庫外熱交換器と取付台との間に隙間を形成するとともに前壁，後壁，外側壁によりアルミニウム製庫外熱交換器の前後左右方向への移動を規制し、前記風洞は天板の背面にクッションを添着してアルミニウム製庫外熱交換器との接触を防止することを特徴とする。
【発明の効果】
【００１３】
本発明の請求項１に係る自動販売機によれば、断熱筐体として形成された自動販売機本体の庫内の商品収納室に設置された庫内熱交換器と自動販売機本体の機械室に設置された庫外熱交換器および圧縮機により冷凍サイクルを構成してなる自動販売機であって、前記庫外熱交換器および圧縮機を自動販売機本体の基台上に鋼板製の取付台を介して配設してなる自動販売機において、前記庫外熱交換器は、左右方向の一側に配設される入口ヘッダと出口ヘッダに接続されるとともに蛇行した冷媒流路を形成する扁平状のチューブと、この扁平状のチューブの水平延在部に接着されるとともに扁平状のチューブの水平延在部から前後方向に突出する幅を有するコルゲート状のフィンとがアルミニウム製になるアルミニウム製庫外熱交換器とし、当該アルミニウム製庫外熱交換器の下部側両サイドにおける扁平状のチューブの水平延在部から前後方向に突出する扁平状のフィンを囲う態様の底壁，外側壁，前壁，後壁とからなる収納部を有し、かつ、前記取付台に係止固定される合成樹脂製の左右一対の保持部材、および前記アルミニウム製庫外熱交換器を覆う態様で前記取付台に係止固定される鋼板製の風洞を備え、前記左右一対の保持部材はそれぞれの収納部にアルミニウム製庫外熱交換器の下部側両サイドにおける扁平状のチューブの水平延在部から前後方向に突出する扁平状のフィンを格納して保持した状態で底壁によりアルミニウム製庫外熱交換器と取付台との間に隙間を形成するとともに前壁，後壁，外側壁によりアルミニウム製庫外熱交換器の前後左右方向への移動を規制し、前記風洞は天板の背面にクッションを添着してアルミニウム製庫外熱交換器との接触を防止することにより、合成樹脂製の左右一対の保持部材によりアルミニウム製庫外熱交換器を鋼板製の取付台と離隔して設置することができるので、異種金属同士の接触による電解腐食を防止しつつアルミニウム製庫外熱交換器を取付台に設置することが可能となる。また、保持部材を左右に分離された対のものとして形成したことにより、アルミニウム製庫外熱交換器と鋼板製の取付台とを離隔するための保持部材をアルミニウム製庫外熱交換器の底部の投影面積と同一の大きさとしたものに対して材料費を大幅に削減できるものであり、コストの上昇を最小限に抑えることができる。
【図面の簡単な説明】
【００１４】
【図１】本発明の実施の形態にかかる自動販売機の冷凍サイクルの構成図である。
【図２】図１のアルミニウム製庫外熱交換器の取付状態を示す斜視図である。
【図３】図２の分解図である。
【図４】図２に示すアルミニウム製庫外熱交換器の保持部材であり、（ａ）はその斜視図、（ｂ）は保持部材を取付台に係止固定した要部斜視図である。
【図５】図１のアルミニウム製庫外熱交換器の取付台への設置状態を示す斜視図である。
【図６】図５のアルミニウム製庫外熱交換器に風洞を取付ける状態を示す分解図である。
【図７】本発明が対象とする自動販売機の外扉開放状態を示す斜視図である。
【発明を実施するための形態】
【００１５】
以下、本発明の実施の形態にかかる自動販売機を図面に基づいて詳細に説明する。なお、自動販売機の全体構成は図７に示すものと同一であるので重複する説明は省略し、適宜図７を参照しつつ説明するものとする。
【００１６】
図１は本発明の実施の形態にかかる自動販売機の冷凍サイクルの構成図であり、図１において、１０は冷凍機のコンデンシングユニットである。このコンデンシングユニット１０は、圧縮機１１，風洞２０に覆われたアルミニウム製凝縮器（アルミニウム製庫外熱交換器）１２，気液分離器１３，ファンモータ取付部材３０に取付けられた庫外ファン１４（図３参照）に加えて不図示の膨張弁，分配器，電磁弁等が配設された分配ユニット４０からなり、前記分配ユニット４０から個別の配管を介して商品収納室（例えば、図７に示す商品収納室３〜５）に設置される庫内熱交換器３Ａ，４Ａ，５Ａが接続されている。なお、１１Ａは圧縮機１１の回転駆動を制御するインバータ制御回路基板が内蔵された制御ボックスである。
【００１７】
前記コンデンシングユニット１０と庫内熱交換器３Ａ，４Ａ，５Ａは良く知られているように、圧縮機１１で圧縮された高温冷媒ガスが電磁弁を介してアルミニウム製凝縮器１２に供給され、前記アルミニウム製凝縮器（アルミニウム製庫外熱交換器）１２で凝縮されて液冷媒となった冷媒が膨張弁で膨張して気液二相流となった後、分配器と個別の電磁弁を経由して庫内熱交換器３Ａ，４Ａ，５Ａに供給され、庫内熱交換器３Ａ，４Ａ，５Ａで蒸発して気化した冷媒ガスは気液分離器１３で気液分離されて圧縮機１１に戻る冷凍サイクルを構成している。なお、庫内熱交換器３Ａ，４Ａは扁平状チューブにより冷媒流路を形成した熱交換器からなり、庫内熱交換器５Ａはフィンアンドチューブ熱交換器からなり、また、庫内熱交換器３Ａは独立した２系統の冷媒流路を有して蒸発器若しくは凝縮器として使用される例を示している。
【００１８】
前記冷凍機のコンデンシングユニット１０は、自動販売機本体１（図７参照）の機械室９の底部をなす基台の上に設けられた取付台５０に固定して取付けるように構成されている。この取付台５０は、図３に示すように、薄い箱形の鋼板製になり、矩形の平板面の前方側中央部と右端寄りにそれぞれ前後一対の係止穴５１，５２が形成されている。これらの係止穴５１，５２は、それぞれ幅の狭い細溝と幅の広い太溝とを連接してなり、対となる前後の係止穴５１，５２は左右方向にずらした位置に設けられている。また、前後一対の係止穴５１，５２の近傍に嵌合穴５３，５４が穿設されている。この前後一対の係止穴５１，５２および嵌合穴５３，５４は、アルミニウム製凝縮器（アルミニウム製庫外熱交換器）１２を取付台５０に設置するための保持部材６０，６０を取付けるためのものである。また、取付台５０の前方側右隅近傍のエッジ部に細長いスリット５５，５６が設けられており、このスリット５５，５６は風洞２０を取付けるものである。前記係止穴５１，５２および嵌合穴５３，５４に加えて前記取付台５０の平板面には、圧縮機１１，分配ユニット４０等の部品を取付ける穴等が適宜穿設されている。前記取付台５０へのアルミニウム製凝縮器（アルミニウム製庫外熱交換器）１２、風洞２０の取付けについては後述する。
【００１９】
前記アルミニウム製凝縮器（アルミニウム製庫外熱交換器）１２（以下、単に凝縮器１２と称する）は、図３，図４にも示すように、扁平状のチューブ１２１とコルゲート状のフィン１２２とからなり、その扁平状のチューブ１２１とコルゲート状のフィン１２２とがアルミニウム製になるものである。扁平状のチューブ１２１は左右方向に延在する水平延在部とこの水平延在部に引き続いて形成されたヘアピン状の湾曲部とにより蛇行した冷媒流路を形成する。コルゲート状のフィン１２２は、扁平状のチューブ１２１の水平延在部に接着されてなり、前後方向の幅が扁平状のチューブ１２１の水平延在部から前後方向に突出する幅を有している。なお、コルゲート状のフィン１２２の起伏形状は台形に形成され、台形の上辺である平坦部を扁平状のチューブ１２１の水平延在部に接着してなるものである。
【００２０】
扁平状のチューブ１２１は左右方向の一側、この実施の形態では凝縮器１２の左側に配設される入口ヘッダ１２３と出口ヘッダ１２４に接続されている。そして、この実施の形態では上段側の扁平状のチューブ１２１Ａが入口ヘッダ１２３Ａと出口ヘッダ１２４Ａに接続され、下段側の扁平状のチューブ１２１Ｂが入口ヘッダ１２３Ｂと出口ヘッダ１２４Ｂに接続されて独立した２系統の冷媒流路を形成するように構成されている。これは、図１に示した庫内熱交換器３Ａ，４Ａがホット／コールド兼用室である商品収納室３，４（図７参照）に設置され、庫内熱交換器５Ａが（図７参照）がコールド専用室である商品収納室５（図７参照）に設置されているとした場合、凝縮器１２の入口ヘッダ１２３Ａと出口ヘッダ１２４Ａが熱交換器３Ａ，４Ａの冷媒配管に接続される一方、凝縮器１２の入口ヘッダ１２３Ｂと出口ヘッダ１２４Ｂが庫内熱交換器５Ａの冷媒配管に接続されるように配管接続される。この場合、分配ユニット４０には庫内熱交換器３Ａへの冷媒の流れを次のように切換える冷媒切換回路が設けられている。すなわち、そのひとつは圧縮機１１から凝縮器１２の入口ヘッダ１２３Ａと出口ヘッダ１２４Ａを経由して庫内熱交換器３Ａの一方の冷媒流路を介して圧縮機１１に戻すコールド運転モードの回路であり、もう一つは圧縮機１１から庫内熱交換器３Ａの他方の冷媒通路を経由して凝縮器１２の入口ヘッダ１２３Ｂと出口ヘッダ１２４Ｂを介して圧縮機１１に戻すホット運転モードの回路である。したがって、庫内熱交換器３Ａは、コールド運転モードの回路の場合には蒸発器として機能し、ホット運転モードの回路の場合には凝縮器として機能するものである。
【００２１】
さて、凝縮器１２は左右一対の保持部材６０，６０を介して取付台５０に設置される。左右一対の保持部材６０，６０は同一形状の部品からなり、図３の左方の保持部材６０を代表して図４に示している。この保持部材６０は、合成樹脂（例えば、ポリプロピレン）の成型品になり、底壁６１，外側壁６２，前壁６３および後壁６４とからなる収納部６５が形成されている。前壁６３および後壁６４は矩形状に形成してもよいものであるが、材料費を削減するためにＬ字状となるように切り欠いている。外側壁６２が凹状に切り欠かれているのは、凝縮器１２の冷媒流路を形成する扁平状のチューブ１２１Ｂを通すためである。そして、底壁６１，外側壁６２，前壁６３および後壁６４で囲まれた空間が凝縮器１２の下部側両サイドの外郭形状に対応する態様の収納部６５として形成されている。前記凝縮器１２の下部側両サイドの外郭形状とは、下段側の扁平状チューブ１２１Ｂの水平延在部から前後方向に突出したコルゲート状のフィン１２２の下側両サイドの外郭形状である。
【００２２】
また、保持部材６０における底壁６１の内側後方寄りおよび外側前方寄りには底板６１から下方に延在した基部と当該基部からそれぞれ内方および外方に突出するフック部からなるＬ字状の係止爪６６，６７が形成されている。この係止片６６，６７のフック部は底壁６１よりも一段下がっている。また、底板６１の背面の内側前方寄りには下方に突出する円柱状の突起６８が形成されている。なお、係止片６６，６７のフック部は上方に凸となるように前後方向に膨出した膨出部が形成され、この膨出部の高さは略突起６８の高さに一致している。
【００２３】
前記保持部材６０は、取付台５０に設けられたれ前後一対の係止穴５１（図３参照）に次のように取付けられる。すなわち、保持部材６０の底壁６１を取付台５０の面に平行に位置させた状態で保持部材６０の内側後方寄りおよび外側前方寄りに形成した係止爪６６，６７を取付台５０の前後一対の係止穴５１における太溝に嵌め込む。この場合、前後一対の係止穴５１における太溝は係止爪６６，６７のフック部よりも大きく形成されるとともに係止爪６６，６７のフック部が底板６１から一段下がるように形成されていることから係止爪６６，６７のフック部は前後一対の係止穴５１における太溝を通って取付台５０の背面よりも下方に至るが、完全には貫通しない。これは、底壁６１の背面に突起６８が設けられているからであり、前記突起６８が取付台５０の平板面に当接した際には係止爪６６，６７のフック部の前後縁部の近傍が取付台５０の背面よりも下方に沈み込む一方、フック部の上方に凸となる膨出部が前後一対の係止穴５１における太溝内に残っている。そして、係止爪６６，６７の基部が前後一対の係止穴５１の溝縁に接した状態にある。
【００２４】
この状態で保持部材６０を前方側にスライドさせると、係止爪６６，６７の基部が前後一対の係止穴５１における細溝（細溝の幅は係止爪６６，６７の基部の厚みより僅かに大きい幅に定められている）に進入する一方、係止爪６６，６７のフック部の前縁が取付台５０の背面に潜り込む。保持部材６０の前方側へのスライド移動途中において係止爪６６，６７のフック部に形成した上方に凸となるように湾曲した膨出部が前後一対の係止穴５１における太溝の溝縁に当接するようになる。この場合、合成樹脂の成型品になる係止爪６６，６７は、フック部の膨出部が取付台５０の背面に潜り込むように変形して保持部材６０の前方へ移動を許容する。そして、保持部材６０の底部６１に設けた突起６８が取付台５０の嵌合穴５３に到達すると、変形した係止爪６６，６７の復元力も手伝って前記突起６８が嵌合穴５３に嵌まり込む。そうすると、保持部材６０の底壁６１の背面が取付台５０の平板面に密着し、前後方向への移動が突起６８により規制され、左右方向の移動が係止爪６６，６７の基部により規制され、上下方向の移動が係止爪６６，６７のフック部により規制された状態で保持部材６０が取付台５０に係止固定される。なお、図３に示した左右一対の保持部材６０，６０のうちの右方の保持部材６０は、前述した左方の保持部材６０と同一構成の部材を１８０度回転させて取付台５０に設けられたれ前後一対の係止穴５２および嵌合穴５４に係合させることにより取付台５０に設置されるものである（図４の（ｂ）参照）。
【００２５】
そして、前述した取付台５０に設置された左右一対の保持部材６０，６０に凝縮器１２が次のようにして取付けられる。すわわち、取付台５０に設置された左右一対の保持部材６０，６０のそれぞれの収納部６５，６５に凝縮器１２の下側両サイドのコルゲート状のフィン１２２を収納する態様で凝縮器１２を左右一対の保持部材６０，６０に載置する（図５参照）。この場合、左右一対の保持部材６０，６０の外側壁６２，６２が、冷媒流路を形成するチューブ１２Ｂの通路として、さらに、チューブ１２Ｂと当接することがないように凹状に切り欠かれているので、チューブ１２Ｂが外側壁６２，６２に当接して破損することがない。このように凝縮器１２の下側両サイドのコルゲート状のフィン１２２を左右一対の保持部材６０，６０の収納部６５，６５に載置した状態で、左右一対の保持部材６０，６０の外側壁６２，６２に最外殻のコルゲート状のフィン１２２が当接して左右方向への移動が規制され、左右一対の保持部材６０，６０の前壁６３および後壁６４に凝縮器１２の下側両サイドにおける複数枚のコルゲート状のフィン１２２の前後縁が当接して前後方向への移動が規制されるとともに凝縮器１２における最下段のフィン１２２と取付台５０の平板面との間に隙間が形成される。このように、アルミニウム製のフィン１２２を鋼板製の取付台５０と離隔して設置することができるので、異種金属同士の接触による電解腐食を防止しつつアルミニウム製庫外熱交換器を取付台に係止固定することが可能となる。なお、上下複数段のコルゲート状のフィン１２２はそれぞれ扁平状のチューブ１２１に接着されて一体化されていることから、左右一対の保持部材６０，６０の収納部６５，６５に載置された凝縮器１２の下側両サイドにおける複数枚のコルゲート状のフィン１２２に係る負荷（重量）は、凝縮器１２の全体に分散されるので、当該箇所に負荷が集中してコルゲート状のフィン１２２が変形することはないものである。
【００２６】
次に、前述したように取付台５０に係止固定された凝縮器１２を覆う風洞２０は鋼板製になり、図３、図６に示すように、天板２１と、背板２２と、左右側板２３，２４および左右の遮蔽カバー２５，２６からなり、この実施の形態では、天板２１，背板２２，右側板２４および右側の遮蔽カバー２６が一枚の鋼板に一体に形成される一方、遮蔽カバー２５が別部品として分離されている。天板２１と右側板２４のそれぞれの投影面積は凝縮器１２の投影面積よりも大きく形成され、天板２１を上下面とするとともに右側板２４を左右面とした場合にその上下面と左右面で囲まれた仮想空間が凝縮器１２の外郭よりも一回り大きくなるように構成されている。
【００２７】
背板２２にはファンモータ取付部材３０が固着されるとともにファンモータ取付部材３０に取付けられた庫外ファン１４が配設されるファン用開口２２Ａ（図３参照）が設けられている。左側板２３は背板２２に一体に設けられるとともに右側板２４よりも狭幅に形成されている。この左側板２３は、凝縮器１２の左右方向の一側、この実施の形態では凝縮器１２の左側に配設される入口ヘッダ１２３，出口ヘッダ１２４の内側に位置するように背板２２から折り曲げて形成されている。また、左側板２３の前端にはクッション２３１が添着されている。
【００２８】
右側板２４には折り曲げにより遮蔽カバー２６が一体に設けられている。この遮蔽カバー２６は風洞２０内を通過する風の一部（右端部）を遮蔽するものであり、具体的には凝縮器１２の蛇行した冷媒流路を形成する扁平状のチューブ１２１の右端側のヘアピン状の湾曲部に対応する領域を通過する風を遮蔽するものである。遮蔽カバー２６の下部には下方に延在するとともに左方に向いたフック片２６１が形成されている。また、右側板２４の前方寄りの下部には下方に延在するストッパ２４１が形成されている。
【００２９】
遮蔽カバー２５は、風洞２０内を通過する風の一部（左端部）を遮蔽するものであり、具体的には凝縮器１２の蛇行した冷媒流路を形成する扁平状のチューブ１２１の左端側のヘアピン状の湾曲部に対応する領域を通過する風を遮蔽するものである。この遮蔽カバー２５の上下端部には折り曲げて形成された取付片２５１，２５２が形成され、当該取付片２５１，２５２にはねじ挿通穴が形成されている。
【００３０】
この風洞２０は、背板２２にファンモータ取付部材３０をねじ固定したうえで取付台５０に次のように取付けられる。すなわち、取付台５０に左右一対の保持部材６０，６０を介して設置された凝縮器１２（図６参照）の上方から当該凝縮器１２に被せるように装着される。この場合、背板２２に一体に設けられた左側板２３が凝縮器１２の入口ヘッダ１２３，出口ヘッダ１２４と扁平状のチューブ１２１の水平延在部から後方に突出したフィン１２２との間に挿入される態様で凝縮器１２に被せる。そして、右側板２４の下部に形成したストッパ２４１および遮蔽カバー２６の下部に形成したフック片２６１を取付台５０の前方側右隅近傍のエッジ部に形成したスリット５５，５６に対峙させつつ当該ストッパ２４１およびフック片２６１を取付台５０のスリット５５，５６に挿入した後、風洞２０を左方向にスライドさせてフック片２６１を取付台５０に係合させて風洞２０の上方への移動を規制する。この場合、スリット５５の横幅は前記フック片２６１を取付台５０に係合させるために左方向にスライド移動させる妨げとならない大きさに定められ、フック片２６１が取付台５０に係合した状態でスリット５５の左縁にストッパ２４１が当接して風洞２０の左方向への移動を規制する。そして、遮蔽カバー２５を天板２１の前方側左隅に配設したうえで取付片２５１を天板２１にねじ固定するとともに取付片２５２を取付台５０にねじ固定する。これにより、風洞２０が凝縮器１２を覆う態様で取付台５０に固着される。なお、背板２２にねじ固定されたファンモータ取付部材３０を取付台５０にねじ固定することにより、風洞２０がより一層強固に固定される。
【００３１】
前述したように取付台５０に取付けられた風洞２０は凝縮器１２と離隔して配置され、異種金属の接触による電解腐食を生じることがない。また、左右の遮蔽カバー２５，２６により庫外ファン１４の風をコルゲート状のフィン１２２の領域に集中させて流すことができるので凝縮器１２の熱交換効率を向上させることが可能となる。そして、風洞２０の左側板２３の前端に添着されクッション２３１は凝縮器１２の入口ヘッダ１２３，出口ヘッダ１２４に接続されたチューブ１２に左側板２３が接触するのを防止するとともに左サイドのフィン１２２の外側に庫外ファン１４の風が逃げるのを抑止する機能を有する。なお、天板２１の背面にクッションを添着して凝縮器１２の最上段のフィン１２２との接触を防止することもできるものである。
【００３２】
前述したように、この実施の形態にかかる自動販売機においては、断熱筐体として形成された自動販売機本体１の庫内の商品収納室３，４，５に設置された庫内熱交換器３Ａ，４Ａ，５Ａと自動販売機本体１の機械室９に設置された庫外熱交換器１２および圧縮機１１により冷凍サイクルを構成してなる自動販売機であって、前記庫外熱交換器１２および圧縮機１１を自動販売機本体１の基台上に鋼板製の取付台５０を介して配設してなる自動販売機において、前記庫外熱交換器１２は、左右方向の一側に配設される入口ヘッダ１２３と出口ヘッダ１２４に接続されるとともに蛇行した冷媒流路を形成する扁平状のチューブ１２１と、この扁平状のチューブ１２１の水平延在部に接着されるとともに扁平状のチューブ１２１の水平延在部から前後方向に突出する幅を有するコルゲート状のフィン１２２とがアルミニウム製になるアルミニウム製庫外熱交換器１２とし、当該アルミニウム製庫外熱交換器１２の下部側両サイドにおける扁平状のチューブ１２１の水平延在部から前後方向に突出する扁平状のフィン１２２を囲う態様の底壁６１，外側壁６２，前壁６３，後壁６４とからなる収納部６５を有し、かつ、前記取付台５０に係止固定される合成樹脂製の左右一対の保持部材６０，６０、および前記アルミニウム製庫外熱交換器１２を覆う態様で前記取付台５０に係止固定される鋼板製の風洞２０を備え、前記左右一対の保持部材６０，６０はそれぞれの収納部６５にアルミニウム製庫外熱交換器１２の下部側両サイドにおける扁平状のチューブ１２１の水平延在部から前後方向に突出する扁平状のフィン１２２を格納して保持した状態で底壁６１によりアルミニウム製庫外熱交換器１２と取付台５０との間に隙間を形成するとともに前壁６３，後壁６４，外側壁６２によりアルミニウム製庫外熱交換器１２の前後左右方向への移動を規制し、前記風洞２０は天板２１の背面にクッションを添着してアルミニウム製庫外熱交換器１２との接触を防止することにより、合成樹脂製の左右一対の保持部材６０，６０によりアルミニウム製庫外熱交換器１２を鋼板製の取付台５０と離隔して設置することができるので、異種金属同士の接触による電解腐食を防止しつつアルミニウム製庫外熱交換器１２を取付台５０に設置することが可能となる。また、保持部材６０，６０が左右に分離された対のものとして形成したことにより、アルミニウム製庫外熱交換器１２と鋼板製の取付台５０とを離隔するための保持部材６０をアルミニウム製庫外熱交換器１２の底部の投影面積と同一の大きさとしたものに対して材料費を大幅に削減できるものであり、コストの上昇を最小限に抑えることができるものである。また、合成樹脂製の保持部材６０が、アルミニウム製庫外熱交換器１２と鋼板製の取付台５０との間に介在するため、アルミニウム製庫外熱交換器１２と鋼板製の取付台５０の擦れ、傷付を防ぐことができる。また、冷却ユニット運転時の振動を緩和し低騒音化にもつながる。
【００３３】
前述した実施の形態では、風洞２０における左側板２３の幅が狭いものについて説明したが、左側板２３を右側板２４と同様の大きさすることができるものであり、この場合左側板２３には入口ヘッダ１２３，出口ヘッダ１２４と接続された扁平状のチューブ１２１が挿通される縦方向の切欠きを形成すればよい。この場合には遮蔽カバー２５を左側板２３に一体的に形成してもよい。したがって、本発明は実施の形態に限定されるものではない。
【符号の説明】
【００３４】
１…自動販売機本体、３，４，５…商品収納室、３Ａ，４Ａ，５Ａ…庫内熱交換器、１０…コンデンシングユニット、１１…圧縮機、１２…アルミニウム製凝縮器（アルミニウム製庫外熱交換器）、１４…庫外ファン、２０…風洞、５０…取付台、６０…保持部材、６５…収納部、１２１…扁平状のチューブ、１２２…コルゲート状のフィン、１２３…入口ヘッダ、１２４…出口ヘッダ。
【図１】
0006645029.tif 000002
【図２】
0006645029.tif 000003
【図３】
0006645029.tif 000004
【図４】
0006645029.tif 000005
【図５】
0006645029.tif 000006
【図６】
0006645029.tif 000007
【図７】
0006645029.tif 000008